(57)【要約】【課題】隣り合う端子を絶縁可能に隔離する隔壁の高さを増大させることなく、電線の端末部に取り付けられた接続相手端子を端子台の端子に接続させる際、接続相手端子が隔壁の上端面にのり上げることを防ぐことができる端子台を提供すること。【解決手段】複数の端子４０の間に立設されることによって隣り合う端子４０を絶縁可能に隔離する隔壁２３の両側面に、隔壁２３の上端面に連続して下方に傾斜されたテーパ面２４と、テーパ面２４の下方に連続され、端子４０に接続される接続相手端子２００を端子４０との接続位置に位置決めする垂直面２５と、が設けられている。【選択図】図１
2018195415.tif 000002
【特許請求の範囲】
【請求項１】
複数の端子の間に立設されることによって隣り合う前記端子を絶縁可能に隔離する隔壁の両側面に、該隔壁の上端面に連続して下方に傾斜されたテーパ面と、前記テーパ面の下方に連続され、前記端子に接続される接続相手端子を前記端子との接続位置に位置決めする垂直面と、が設けられている
ことを特徴とする端子台。
【請求項２】
前記隔壁は、
前記上端面の頂点がＲ形状をなして両側面に形成された前記テーパ面に連続されている
ことを特徴とする請求項１に記載の端子台。
【発明の詳細な説明】
【技術分野】
【０００１】
本発明は、複数の端子が絶縁用の隔壁を間にして横並びに配置された端子台に関する。
【背景技術】
【０００２】
従来、端子台は複数の端子が絶縁用の隔壁を間にして横並びに配置されるようになっている。
例えば、特許文献１には、絶縁性の基台上に配置される複数の端子部が設けられとともに隣接する上記端子部間に上台から隔壁が突設する端子台において、端子部に対して基台の端からの配置順を示す端子識別番号が割り当てられ、割り当てられた端子識別番号を示す識別子が隔壁の所定の位置に設けられた端子台が記載されている。
【先行技術文献】
【特許文献】
【０００３】
【特許文献１】特開２０１２−３３３８０号公報
【発明の概要】
【発明が解決しようとする課題】
【０００４】
しかしながら、特許文献１に記載した端子台は、コネクタのハウジング内に保持された複数の電線の端末部に取り付けられた各接続相手端子を端子台の各端子に接続する場合、各接続相手端子周辺の電線部分は自由に動ける状態になっているので、コネクタを接続のために端子台に向けて移動させた際、端子が隔壁の上端面にのり上げてしまい、接続相手端子と端子との接続作業が煩雑になってしまうという問題があった。
このような問題を解消するため、隔壁を高くすることも考えられるが、端子台の高さ寸法が増大してしまう問題がある。
【０００５】
本発明は、上記に鑑みてなされたものであって、隣り合う端子を絶縁可能に隔離する隔壁の高さを増大させることなく、電線の端末部に取り付けられた接続相手端子を端子台の端子に接続させる際、接続相手端子が隔壁の上端面にのり上げることを防ぐことができる端子台を提供することを目的とする。
【課題を解決するための手段】
【０００６】
上述した課題を解決し、目的を達成するために、本発明の請求項１に係る端子台は、複数の端子の間に立設されることによって隣り合う前記端子を絶縁可能に隔離する隔壁の両側面に、該隔壁の上端面に連続して下方に傾斜されたテーパ面と、前記テーパ面の下方に連続され、前記端子に接続される接続相手端子を前記端子との接続位置に位置決めする垂直面と、が設けられていることを特徴とする。
【０００７】
また、本発明の請求項２に係る端子台は、上記の発明において、前記隔壁が、前記上端面の頂点がＲ形状をなして両側面に形成された前記テーパ面に連続されていることを特徴とする。
【発明の効果】
【０００８】
本発明の請求項１に係る端子台は、複数の端子の間に立設されることによって隣り合う前記端子を絶縁可能に隔離する隔壁の両側面に、該隔壁の上端面に連続して下方に傾斜されたテーパ面と、前記テーパ面の下方に連続され、前記端子に接続される接続相手端子を前記端子との接続位置に位置決めする垂直面と、が設けられている。このような構成によって、電線の端末部に取り付けられた接続相手端子を端子台の端子に接続させる際、前記隔壁の上端面に接続相手端子がのりあげたとしても、前記接続相手端子が前記上端面上にのりあげたまま安定することなく前記テーパ面を滑って前記垂直面によって位置決めされた接続位置に移動されるようになっている。このため、本発明の請求項１に係る端子台は、隣り合う端子を絶縁可能に隔離する隔壁の高さを増大させることなく、接続相手端子が隔壁の上端面にのり上げることを防ぐことができる。
【０００９】
本発明の請求項２に係る端子台は、前記隔壁が、前記上端面の頂点がＲ形状をなして両側面に形成された前記テーパ面に連続されているので、前記接続相手端子がＲ形状の頂点の前記上端面上から前記テーパ面上に移動され易くなっている。このため、本発明の請求項２に係る端子台は、より確実に接続相手端子が隔壁の上端面にのり上げることを防ぐことができる。
【図面の簡単な説明】
【００１０】
【図１】図１は、本発明の実施例に係る端子台の斜視図であり、（ａ）が正面側から視た図であり（ｂ）が背面側から視た図である。
【図２】図２は、端子台の正面図である。
【図３】図３は、端子台の各端子にコネクタの各接続相手端子を接続させるためコネクタを端子台の背面側から端子台に近づける様子を示した図である。
【図４】図４は、各接続相手端子がテーパ面にのっている状態を端子台の正面から視た図である。
【図５】図５は、各接続相手端子がテーパ面にのっている状態を端子台の上面から視た図である。
【図６】図６は、各接続相手端子が端子台の対応する端子との接続位置に配置された状態を端子台の正面から視た図である。
【図７】図７は、各接続相手端子が端子台の対応する端子との接続位置に配置された状態を端子台の上面から視た図である。
【発明を実施するための形態】
【００１１】
以下、図面を参照して、本発明に係る端子台の好適な実施例を詳細に説明する。
【実施例】
【００１２】
図１は、本発明の実施例に係る端子台１の斜視図であり、（ａ）が正面側から視た図であり（ｂ）が背面側から視た図である。図２は、端子台１の正面図である。図３は、端子台１の各端子４０にコネクタ１００の各接続相手端子２００を接続させるためコネクタ１００を端子台１の背面側から端子台１に近づける様子を示した図である。図４は、各接続相手端子２００がテーパ面２４にのっている状態を端子台１の正面から視た図である。図５は、各接続相手端子２００がテーパ面２４にのっている状態を端子台１の上面から視た図である。図６は、各接続相手端子２００が端子台１の対応する端子４０との接続位置に配置された状態を端子台１の正面から視た図である。図７は、各接続相手端子２００が端子台１の対応する端子４０との接続位置に配置された状態を端子台１の上面から視た図である。
本発明の実施例に係る端子台１は、コネクタ１００のハウジング１１０内に保持された３本の電線Ｗの端末部に取り付けられた各端子２００（以下、端子台の端子と区別するため、「接続相手端子」という。）に接続される３つの端子４０が設けられたものである。
【００１３】
ここで、端子台１に接続されるコネクタ１００について説明する。
なお、このコネクタ１００は、従来、一般的に用いられるものである。
【００１４】
コネクタ１００は、３本の電線Ｗを横並びに保持するハウジング１１０を有してなる。
【００１５】
各電線Ｗは、端末部に端子台１の端子４０と接続される接続相手端子２００が取り付けられており、接続相手端子２００周辺の電線Ｗ部分は自由に動ける状態でハウジング１１０に保持されるようになっている。
このように、接続相手端子２００周辺の電線Ｗ部分が自由に動けるような状態で電線Ｗがハウジング１１０に保持される理由は、端子台１の端子４０と接続される接続相手端子２００の部分が端子台１上の接続位置にある程度の自由度を持って配置することを可能にするためである。
【００１６】
接続相手端子２００は、端子台１の端子との板状の接続部分２１０にボルト締結用のボルト挿通孔２１０ａが形成されている。
【００１７】
次に、端子台１について説明する。
端子台１は、ブロック状の絶縁樹脂材からなる端子台本体部１０と、端子台本体部１０の所定位置に設けられた３つの端子４０と、を有する。
【００１８】
端子４０は、板状の導電部材が横断面Ｌ字状に屈曲されたものであり、一端部が接続相手端子２００との接続部分４１であり、他端部が接続相手端子２００との電気的な接続がなされる不図示の電気配線が接続される部分になっている。
この端子４０は、接続部分４１にボルト締結用のボルト挿通孔４１ａが形成されている。
【００１９】
端子台本体部１０は、各接続相手端子２００の接続部分２１０が各端子４０に接続されるように取り付けられる相手端子取付部２０と、相手端子取付部２０を支持する部分となる支持部３０と、を有する。
【００２０】
相手端子取付部２０は、３つの接続相手端子２００に対応して３つの端子４０が接続部分を端子台本体部１０から露出された状態で横並びに設けられ、３つの端子４０の接続部分４１の間に隔壁２３が立設されることによって、隣り合う端子４０の接続部分４１を絶縁可能に隔離する３つの端子配置部２１が設けられている。
【００２１】
３つの端子配置部２１は、３つの端子４０の接続部分４１が載置される端子載置面２２ａが形成された基台部２２を有し、端子載置面２２ａ上の３つの端子４０の接続部分４１の間に隔壁２３が立設されることによって各端子配置部２１が端子載置面２２ａ上に区画されるようになっている。
【００２２】
３つの端子配置部２１のうち、真ん中の端子配置部２１は、２つの隔壁２３の下端部の間に端子４０の接続部分４１が端子台本体部１０から露出されるように配置されている。
【００２３】
また、３つの端子配置部２１のうち、両端の２つの端子配置部２１は、隔壁２３の下端部と、端子載置面２２ａ上の両端部に立設された端部囲い壁２７の下端部との間に端子４０の接続部分４１が端子台本体部１０から露出されるように配置されている。
【００２４】
隔壁２３は、両側面に隔壁２３の上端面２３ａから連続して下方に傾斜されたテーパ面２４と、テーパ面２４の下方に連続され、接続相手端子２００を端子４０との接続位置に位置決めする垂直面２５と、端子４０が配置される最下端部に端子４０を位置決めするように迫り出した端子位置決め部２６と、が設けられている。
【００２５】
隔壁２３は、端子４０の並び方向に直交する方向で、端子載置面２２ａの端子台１の正面側から背面側に向けて延びるように端子載置面２２ａ上に立設されている。
２つの隔壁２３は、端子４０の幅より僅かに大きい間隔を空けて配置されている。
【００２６】
テーパ面２４は、隔壁２３の正面側の端部から背面側の端部まで連続して形成されている。
【００２７】
また、隔壁２３は、上端面２３ａの頂点がＲ形状をなして両側面に形成されたテーパ面２４に連続されている。
すなわち、隔壁２３は、上端部の横断面形状が山形をなし、山の頂点がＲ状になっている。
このため、接続相手端子２００の接続部分２１０が上端面２３ａにのりあげたとしても、その状態では接続部分２１０が不安定な状態に位置されているため、接続部分２１０は、テーパ面２４に戻されるようになっている。
【００２８】
垂直面２５は、高さ方向でテーパ面２４と端子位置決め部２６との間に設けられ、隣り合う隔壁２３の垂直面２５の間隔が接続相手端子２００の接続部分２１０の幅より僅かに大きい幅に設定されている。
【００２９】
端子位置決め部２６は、垂直面２５に対して外方に迫り出した部分であり、高さ方向で端子４０の厚みよりも小さい厚みに設定されている。
隣り合う隔壁２３の端子位置決め部２６の間隔は、端子４０の接続部分４１の幅より僅かに大きい幅に設定されている。
このため、隣り合う隔壁２３の端子位置決め部２６の間の端子載置面２２ａ上に端子４０が位置決め配置されるようになっている。
【００３０】
また、端子位置決め部２６の厚みが端子４０の厚みより小さく設定されているため、端子４０の接続部分４１の上に位置決め配置された接続相手端子２００の接続部分２１０が端子４０の接続部分４１に面接触できるようになっている。
【００３１】
次に、支持部３０について説明する。
支持部３０は、相手端子取付部２０に対して下方延びる部分を形成するように相手端子取付部２０の背面側端部に連続された部分である。
【００３２】
この支持部３０は、端子台１を固定先に固定する部分となる固定部３１と、３つの端子４０の接続相手端子２００との接続部分４１とは逆側の端部４２が露出された状態で配置される端子配置部３２と、３つの接続相手端子２００を相手端子取付部２０の３つの端子配置部２１にそれぞれ誘導する３つの相手端子誘導部３３と、を有する。
【００３３】
固定部３１は、支持部３０の両側部に外方に突出するように一対設けられ、各固定部３１には固定用のボルトが挿通されるボルト挿通孔３１ａが形成されている。
【００３４】
端子配置部３２は、相手端子取付部２０の各端子配置部２１の端子載置面２２ａに形成されたスリット２２ｂを通して端子載置面２２ａの裏側に突出された３つ端子４０の接続部分とは逆側の端部が露出された状態で配置される。
【００３５】
３つの相手端子誘導部３３のうち、真ん中の相手端子誘導部３３は、隣り合う２つの隔壁２３の背面側の端部から端子台本体部１０の背面まで延びる２つの誘導壁３３ａと、２つの誘導壁３３ａが立設される面であり、端子載置面２２ａの背面側の端部に連接し、端子台本体部１０の背面に向けてなだらかな下り傾斜状に形成された誘導面３３ｃと、を有する。
【００３６】
また、３つの相手端子誘導部３３のうち、両端の２つの相手端子誘導部３３は、１つの隔壁２３および隔壁２３に隣り合う端部囲い壁２７の背面側の端部から端子台本体部１０の背面まで延びる２つの誘導壁３３ａ、３３ｂと、２つの誘導壁３３ａ、３３ｂが立設される面であり、端子載置面２２ａの背面側の端部に連接し、端子台本体部１０の背面に向けてなだらかな下り傾斜状に形成された誘導面３３ｃと、を有する。
【００３７】
誘導壁３３ａ、３３ｂは、端子台本体部１０の背面側の端部から隔壁２３、あるいは、端部囲い壁２７との接続部分周辺まで、隔壁２３、あるいは、端部囲い壁２７の厚さよりも薄い壁で構成され、隔壁２３、あるいは、端部囲い壁２７との接続部分が、隔壁２３、あるいは、端部囲い壁２７になめらかに接続されるように曲面状接続面３３ａａ、３３ｂｂとして形成されている。
【００３８】
このため誘導壁３３ａは、接続相手端子２００を端子台本体部１０の背面側の端部から隔壁２３のテーパ面２４、および、垂直面２５に、曲面状接続面３３ａａによってなめらかに誘導することができるようになっている。
すなわち、誘導壁３３ａは、接続相手端子２００がテーパ面２４上に載ることを阻止せず、接続相手端子２００をテーパ面２４上に誘導可能な構成になっている。
【００３９】
次に、コネクタ１００のハウジング１１０内に保持された３本の電線Ｗの端末部に取り付けられた各接続相手端子２００を端子台１の対応する各端子４０に接続する手順と各部の動作について説明する。
【００４０】
まず、作業者は、図３に示すように、コネクタ１００を端子台１の背面側から端子台１との接続完了位置に向けて移動開始する。
ここで、各接続相手端子２００は、電線Ｗの端末部とともにハウジング１１０から引き出された状態になっているため、周辺の電線Ｗ部分とともに自由に動ける状態になっている。
また、コネクタ１００が端子台１に対して下方にずれた位置から端子台１に向けて移動された場合、各接続相手端子２００は、相手端子誘導部３３によって対応する端子配置部２１に向けて誘導される。
【００４１】
コネクタ１００が、各接続相手端子２００が端子台１の隔壁２３に位置されるまで端子台１に近付いた状態で、端子台１に対して横方向にずれて位置されている場合、図４および図５に示すように、各接続相手端子２００の接続部分２１０がテーパ面２４上にのった状態になる。
【００４２】
その後、作業者が、図６および図７に示すように、コネクタ１００を端子台１との接続完了位置まで移動すると、テーパ面２４上にのっていた各接続相手端子２００が対応する端子４０との接続位置に移動される。
具体的には、自由に動ける接続相手端子２００周辺の電線Ｗ部分にハウジング１１０内に保持された電線Ｗ部分の位置に戻される力が作用されることによって、各接続相手端子２００の接続部分２１０がテーパ面２４から垂直面２５に向けて滑り、最終的に、端子４０との接続位置に移動される。
【００４３】
最後に、作業者は、各接続相手端子２００と端子４０とをボルト締結することによって各接続相手端子２００を端子台１の対応する各端子４０に接続する作業を完了する。
この作業では、各接続相手端子２００が各端子４０との接続位置にたいしてずれた方向から移動された場合においても、すなわち、各接続相手端子２００が隔壁２３の上端面２３ａにのりあげ易い状態で接続位置に向けて移動された場合であっても、各接続相手端子２００が対応する端子４０との接続位置に移動されるようになっている。
【００４４】
本発明の実施例に係る端子台１は、３つの端子４０の間に立設されることによって隣り合う端子４０を絶縁可能に隔離する隔壁２３の両側面に、隔壁２３の上端面２３ａに連続して下方に傾斜されたテーパ面２４と、テーパ面２４の下方に連続され、端子４０に接続される接続相手端子２００を端子４０との接続位置に位置決めする垂直面２５と、が設けられている。このような構成によって、電線Ｗの端末部に取り付けられた接続相手端子２００を端子台１の端子４０に接続させる際、隔壁２３の上端面２３ａに接続相手端子２００がのりあげたとしても、接続相手端子２００が上端面２３ａ上にのりあげたまま安定することなくテーパ面２４を滑って垂直面２５によって位置決めされた接続位置に移動されるようになっている。このため、本発明の請求項１に係る端子台１は、隣り合う端子４０を絶縁可能に隔離する隔壁２３の高さを増大させることなく、接続相手端子２００が隔壁２３の上端面２３ａにのり上げることを防ぐことができる。
【００４５】
また、本発明の実施例に係る端子台１は、隔壁２３が、上端面２３ａの頂点がＲ形状をなして両側面に形成されたテーパ面２４に連続されているので、接続相手端子２００がＲ形状の頂点の上端面２３ａ上からテーパ面２４上に移動され易くなっている。このため、本発明の請求項２に係る端子台１は、より確実に接続相手端子２００が隔壁２３の上端面２３ａにのり上げることを防ぐことができる。
【００４６】
本発明の実施例に係る端子台１は、３つの端子４０を有するものを例示したが、端子４０の数はこれに限らず、複数の端子４０を有していればよい。
【００４７】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４８】
１        端子台
１０      端子台本体部
２０      相手端子取付部
２１      端子配置部
２２      基台部
２２ａ    端子載置面
２２ｂ    スリット
２３      隔壁
２３ａ    上端面
２４      テーパ面
２５      垂直面
２６      端子位置決め部
２７      端部囲い壁
３０      支持部
３１      固定部
３１ａ    ボルト挿通孔
３２      端子配置部
３３      相手端子誘導部
３３ａ、３３ｂ  誘導壁
３３ａａ、３３ｂｂ  曲面状接続面
３３ｃ    誘導面
４０      端子
４１      接続部分
４１ａ    ボルト挿通孔
４２      端部
１００    コネクタ
１１０    ハウジング
２００    接続相手端子
２１０    接続部分
２１０ａ  ボルト挿通孔
Ｗ        電線
【図１】
2018195415.tif 000003
【図２】
2018195415.tif 000004
【図３】
2018195415.tif 000005
【図４】
2018195415.tif 000006
【図５】
2018195415.tif 000007
【図６】
2018195415.tif 000008
【図７】
2018195415.tif 000009